【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
記憶装置に記憶されているデータを出力する際に適用される出力設定を設定する出力設定手段と、
前記出力設定にしたがって前記データを出力する際に必要となる前記データの基準レベルを決定する基準レベル決定手段と、
前記記憶装置に記憶されている前記データのレベルが前記基準レベルより低いか否かを判定する判定手段と、
前記判定手段で前記記憶装置に記憶されている前記データのレベルが前記基準レベルより低いと判定した場合、前記データのレベルを前記基準レベルまで上げたデータを生成する生成手段と、
前記判定手段で前記記憶装置に記憶されている前記データのレベルが前記基準レベルより低いと判定した場合は、前記生成手段により生成された前記基準レベルまで上げたデータを、前記出力設定にしたがって出力し、前記判定手段で前記記憶装置に記憶されている前記データのレベルが前記基準レベルより低くないと判定した場合は、前記記憶装置に記憶されている前記データを、前記出力設定にしたがって出力する出力手段と、
を備えたことを特徴とする画像処理装置。
【請求項２】
前記出力設定手段は、前記記憶されているデータを印刷出力する際、もしくは前記記憶されているデータを送信出力する際に前記出力設定を設定することを特徴とする請求項１に記載の画像処理装置。
【請求項３】
前記生成手段は、前記基準レベルに到達するまで、前記データのレベルを１レベル増加させる処理を繰り返すことを特徴とする請求項１または２に記載の画像処理装置。
【請求項４】
前記データのレベルは、ビットマップからなるデータのレベル、ビットマップと検索用の文字コードからなるデータのレベル、直線近似による点列データからなるデータのレベル、曲線近似により得られる点列データからなるデータのレベル、曲線近似により得られる一組の曲線からなるデータのレベル、曲線近似により得られる更に高品位な曲線からなるデータのレベル、のうち少なくとも１つを含むことを特徴とする請求項１に記載の画像処理装置。
【請求項５】
前記生成手段で生成された前記基準レベルまで上げたデータを、前記記憶装置に記憶させる制御手段を更に備えることを特徴とする請求項１に記載の画像処理装置。
【請求項６】
データを記憶する記憶装置を備える画像処理装置を制御するための画像処理方法であって、
出力設定手段が、前記記憶装置に記憶されているデータを出力する際に適用される出力設定を設定する出力設定ステップと、
基準レベル決定手段が、前記出力設定にしたがって前記データを出力する際に必要となる前記データの基準レベルを決定する基準レベル決定ステップと、
判定手段が、前記記憶装置に記憶されている前記データのレベルが前記基準レベルより低いか否か判定する判定ステップと、
生成手段が、前記判定ステップにおいて前記記憶装置に記憶されている前記データのレベルが前記基準レベルより低いと判定された場合、前記データのレベルを前記基準レベルまで上げたデータを生成する生成ステップと、
出力手段が、前記判定ステップにおいて前記記憶装置に記憶されている前記データのレベルが前記基準レベルより低いと判定された場合は、前記生成ステップにおいて生成された前記基準レベルまで上げたデータを、前記出力設定にしたがって出力し、前記判定ステップにおいて前記記憶装置に記憶されている前記データのレベルが前記基準レベルより低くないと判定した場合は、前記記憶装置に記憶されている前記データを、前記出力設定にしたがって出力する出力ステップと、
を有することを特徴とする画像処理方法。
【請求項７】
コンピュータを、
記憶装置に記憶されているデータを出力する際に適用される出力設定を設定する出力設定手段、
前記出力設定にしたがって前記データを出力する際に必要となる前記データの基準レベルを決定する基準レベル決定手段、
前記記憶装置に記憶されている前記データのレベルが前記基準レベルより低いか否かを判定する判定手段、
前記判定手段で前記記憶装置に記憶されている前記データのレベルが前記基準レベルより低いと判定した場合、前記データのレベルを前記基準レベルまで上げたデータを生成する生成手段、
前記判定手段で前記記憶装置に記憶されている前記データのレベルが前記基準レベルより低いと判定した場合は、前記生成手段により生成された前記基準レベルまで上げたデータを、前記出力設定にしたがって出力し、前記判定手段で前記記憶装置に記憶されている前記データのレベルが前記基準レベルより低くないと判定した場合は、前記記憶装置に記憶されている前記データを、前記出力設定にしたがって出力する出力手段、
として機能させるためのコンピュータ実行可能なコンピュータプログラム。
【請求項８】
請求項７に記載のコンピュータプログラムを格納した、コンピュータ読取り可能な記憶媒体。
【手続補正２】
【補正対象書類名】明細書
【補正対象項目名】０００８
【補正方法】変更
【補正の内容】
【０００８】
上記課題を解決するために、本発明の画像処理装置は、記憶装置に記憶されているデータを出力する際に適用される出力設定を設定する出力設定手段と、前記出力設定にしたがって前記データを出力する際に必要となる前記データの基準レベルを決定する基準レベル決定手段と、前記記憶装置に記憶されている前記データのレベルが前記基準レベルより低いか否かを判定する判定手段と、前記判定手段で前記記憶装置に記憶されている前記データのレベルが前記基準レベルより低いと判定した場合、前記データのレベルを前記基準レベルまで上げたデータを生成する生成手段と、前記判定手段で前記記憶装置に記憶されている前記データのレベルが前記基準レベルより低いと判定した場合は、前記生成手段により生成された前記基準レベルまで上げたデータを、前記出力設定にしたがって出力し、前記判定手段で前記記憶装置に記憶されている前記データのレベルが前記基準レベルより低くないと判定した場合は、前記記憶装置に記憶されている前記データを、前記出力設定にしたがって出力する出力手段と、を備えたことを特徴とする。
【手続補正３】
【補正対象書類名】明細書
【補正対象項目名】０００９
【補正方法】変更
【補正の内容】
【０００９】
上記課題を解決するために、本発明の画像処理方法は、データを記憶する記憶装置を備える画像処理装置を制御するための画像処理方法であって、出力設定手段が、前記記憶装置に記憶されているデータを出力する際に適用される出力設定を設定する出力設定ステップと、基準レベル決定手段が、前記出力設定にしたがって前記データを出力する際に必要となる前記データの基準レベルを決定する基準レベル決定ステップと、判定手段が、前記記憶装置に記憶されている前記データのレベルが前記基準レベルより低いか否か判定する判定ステップと、生成手段が、前記判定ステップにおいて前記記憶装置に記憶されている前記データのレベルが前記基準レベルより低いと判定された場合、前記データのレベルを前記基準レベルまで上げたデータを生成する生成ステップと、出力手段が、前記判定ステップにおいて前記記憶装置に記憶されている前記データのレベルが前記基準レベルより低いと判定された場合は、前記生成ステップにおいて生成された前記基準レベルまで上げたデータを、前記出力設定にしたがって出力し、前記判定ステップにおいて前記記憶装置に記憶されている前記データのレベルが前記基準レベルより低くないと判定した場合は、前記記憶装置に記憶されている前記データを、前記出力設定にしたがって出力する出力ステップと、を有することを特徴とする。
【手続補正４】
【補正対象書類名】明細書
【補正対象項目名】００１０
【補正方法】変更
【補正の内容】
【００１０】
上記課題を解決するために、本発明のコンピュータ実行可能なコンピュータプログラムは、コンピュータを、記憶装置に記憶されているデータを出力する際に適用される出力設定を設定する出力設定手段、前記出力設定にしたがって前記データを出力する際に必要となる前記データの基準レベルを決定する基準レベル決定手段、前記記憶装置に記憶されている前記データのレベルが前記基準レベルより低いか否かを判定する判定手段、前記判定手段で前記記憶装置に記憶されている前記データのレベルが前記基準レベルより低いと判定した場合、前記データのレベルを前記基準レベルまで上げたデータを生成する生成手段、前記判定手段で前記記憶装置に記憶されている前記データのレベルが前記基準レベルより低いと判定した場合は、前記生成手段により生成された前記基準レベルまで上げたデータを、前記出力設定にしたがって出力し、前記判定手段で前記記憶装置に記憶されている前記データのレベルが前記基準レベルより低くないと判定した場合は、前記記憶装置に記憶されている前記データを、前記出力設定にしたがって出力する出力手段、として機能させる。